(57)【要約】口内の所見に差が出る疾患に関する判断の補助材料を提供するための口内撮影装置、医療装置及びプログラムを提供するものであり、口内の画像を取得する撮像デバイスと、前記撮像デバイスの被写体に光を照射する光源と、所定の疾患の判定ためのアルゴリズムを記憶する記憶装置と、演算装置と、を備える口内撮影装置であって、前記演算装置は、前記画像及び前記アルゴリズムに基づき、前記所定の疾患の可能性を判定する判定処理と、前記判定処理の結果を出力する出力処理と、を実行することを特徴とする口内撮影装置に関する。
2019131327.tif 000002
【特許請求の範囲】
【請求項１】
口内の画像を取得する撮像デバイスと、
前記撮像デバイスの被写体に光を照射する光源と、
所定の疾患の判定ためのアルゴリズムを記憶する記憶装置と、
演算装置と、を備える口内撮影装置であって、
前記演算装置は、
前記画像及び前記アルゴリズムに基づき、前記所定の疾患の可能性を判定する判定処理と、
前記判定処理の結果を出力する出力処理と、
を実行することを特徴とする口内撮影装置。
【請求項２】
前記撮像デバイスは前記画像として動画像を取得し、
前記演算装置は、
前記動画像に含まれる複数枚の静止画像の中から、所定の条件を満たす少なくとも１枚の静止画像を抽出する抽出処理を更に実行し、
前記抽出処理の結果に基づいて前記判定処理を実行すること、
を特徴とする請求項１に記載の口内撮影装置。
【請求項３】
患者情報の入力を受け付ける入力装置を更に備え、
前記演算装置は、更に前記患者情報に基づいて、前記判定処理を実行すること、
を特徴とする請求項１又は２に記載の口内撮影装置。
【請求項４】
前記撮像デバイスによって取得された画像及び前記抽出処理の結果のうち少なくとも一方を表示する表示装置
を更に備えることを特徴とする請求項２に記載の口内撮影装置。
【請求項５】
前記撮像デバイスは、前記口内に装着される筒状の口内撮影補助具内で前記口内の画像を取得し、
前記記憶装置は、使用済みの口内撮影補助具の識別情報を記録し、
前記演算装置は、
新たな判定に使用される口内撮影補助具の識別情報を取得する取得処理と、
前記新たな判定に使用される口内撮影補助具の識別情報と一致する前記記憶装置の記録の有無を調べる検索処理と、
前記検索処理の結果に応じて前記新たな判定を制限する制限処理と、
を更に実行することを特徴とする請求項１〜４のいずれかに記載の口内撮影装置。
【請求項６】
請求項１〜５のいずれかに記載の口内撮影装置と、
口内に着脱可能に装着される筒状の口内撮影補助具と、を含み、
前記口内撮影補助具は、
開口を有する第１端部と、
前記第１端部とは反対側に位置して、前記口内撮影補助具の内側から前記口内撮影補助具の外側への視野を与える窓部を有する第２端部と、
を含むことを特徴とする医療装置。
【請求項７】
所定の疾患の判定ためのアルゴリズムを記憶した記憶装置と、演算装置と、を備えるコンピュータに対して、
撮像デバイスによって取得された口内画像及び前記アルゴリズムに基づき、前記所定の疾患の可能性を判定する判定処理と、
前記判定処理の結果を出力する出力処理と、
を実行させるためのプログラム。
【発明の詳細な説明】
【技術分野】
【０００１】
本発明は、口内を撮影するための口内撮影装置、その口内撮影装置と口内撮影補助具とを含む医療装置、及び撮影された口内画像に基づいて所定の疾患を判定するためのプログラムに関する。
【背景技術】
【０００２】
非特許文献１は、咽頭の最深部に出現するリンパ濾胞にはインフルエンザに特有のパターンがあることを報告している。かかるパターンを有するリンパ濾胞をインフルエンザ濾胞と呼ぶことにする。インフルエンザ濾胞は、インフルエンザに特徴的なサインであって、発症後２時間程度で出現するとされる。
【先行技術文献】
【非特許文献】
【０００３】
【非特許文献１】宮本・渡辺著「咽頭の診察所見（インフルエンザ濾胞）の意味と価値の考察」日大医誌72(1):11-18(2013)
【発明の概要】
【発明が解決しようとする課題】
【０００４】
インフルエンザ濾胞の的確な判別は、診断の正確性の飛躍的な向上に繋がると期待される。しかしながら、インフルエンザ濾胞の適切な見定めは、多くの症例を通じた集中的な訓練を必要とし、一般医師にとって決して容易ではない。残念なことに、上記の研究成果は、限られた範囲の医師の間で活用されるに留まっている。
ここで、咽頭所見に差が出る疾患は、インフルエンザ以外にも多数存在する。かかる疾患の診断についても、上記と同様の指摘が当てはまり得る。
更には、口腔の所見に差が出る疾患に対しても画像診断は有用である。【０００５】
そこで、本発明は、口内の所見に差が出る疾患に関する判断の補助材料を提供することができる口内撮影装置、医療装置及びプログラムを提供することを目的とする。
【課題を解決するための手段】
【０００６】
上述した課題を解決すべく、本発明は、口内の画像を取得する撮像デバイスと、前記撮像デバイスの被写体に光を照射する光源と、所定の疾患の判定ためのアルゴリズムを記憶する記憶装置と、演算装置と、を備える撮影装置であって、前記演算装置は、前記画像及び前記アルゴリズムに基づき、前記所定の疾患の可能性を判定する判定処理と、前記判定処理の結果を出力する出力処理と、を実行することを特徴とする口内撮影装置を提供する。
ここで、「口内」は、人はもとより動物全般の口腔内及び咽頭を含むものとする。また、「咽頭」は、咽頭後壁のリンパ濾胞を含む『ワルダイエル咽頭輪』も含むものとする。したがって、本発明における「患者」は人だけでなく動物全般を含む。
また、光源は、撮影という目的を達することができるものを広く含み、可視光を照射してもよいし、例えば近赤外線や赤外線のような非可視光を照射してもよいものとする。【０００７】
上記のような構成を有する本発明の口内撮影装置では、前記撮像デバイスが前記画像として動画像を取得し、前記演算装置が、前記動画像に含まれる複数枚の静止画像の中から、所定の条件を満たす少なくとも１枚の静止画像を抽出する抽出処理を更に実行し、前記抽出処理の結果に基づいて前記判定処理を実行してもよい。ここで、動画像の取得とは、撮像デバイスによる撮影を意味し、撮影された画像の記録媒体への記録を伴ってもよいし、伴っていなくてもよい。また、所定の条件とは、画像の内容に関する条件でもよいし、画像抽出のタイミングに関わる条件でもよい。【０００８】
また、上記のような構成を有する本発明の口内撮影装置は、患者情報の入力を受け付ける入力装置を更に備え、前記演算装置が、更に前記患者情報に基づいて、前記判定処理を実行してもよい。【０００９】
また、上記のような構成を有する本発明の口内撮影装置は、前記撮像デバイスによって取得された画像及び前記抽出処理の結果のうち少なくとも一方を表示する表示装置を更に備えていてもよい。【００１０】
また、上記のような構成を有する本発明の口内撮影装置では、前記撮像デバイスが、前記口内に装着される筒状の口内撮影補助具内で前記口内の画像を取得し、前記記憶装置が、使用済みの口内撮影補助具の識別情報を記憶し、前記演算装置が、新たな判定に使用される口内撮影補助具の識別情報を取得する取得処理と、前記新たな判定に使用される口内撮影補助具の識別情報と一致する前記記憶装置の記録の有無を調べる検索処理と、前記検索処理の結果に応じて前記新たな判定を制限する制限処理と、を更に実行してもよい。【００１１】
本発明は、上述した口内撮影装置と、口内に着脱可能に装着される筒状の口内撮影補助具と、を含み、前記口内撮影補助具は、開口を有する第１端部と、前記第１端部とは反対側に位置して、前記口内撮影補助具の内側から前記口内撮影補助具の外側への視野を与える窓部を有する第２端部と、を含むことを特徴とする医療装置をも提供する。【００１２】
また、本発明は、所定の疾患の判定ためのアルゴリズムを記憶した記憶装置と、演算装置と、を備えるコンピュータに対して、前記撮像デバイスによって取得された口内画像及び前記アルゴリズムに基づき、前記所定の疾患の可能性を判定する判定処理と、前記判定処理の結果を出力する出力処理と、を実行させるためのプログラムをも提供する。
【発明の効果】
【００１３】
本発明によれば、口内の所見に差が出る疾患に関する判断の補助材料を提供することができる。
【図面の簡単な説明】
【００１４】
【図１】本発明の代表的な実施形態に係る口内撮影装置５及び口内撮影補助具３を含む医療装置１の概略図である。
【図２】図１の口内撮影補助具３を示す斜視図である。
【図３】図２の口内撮影補助具３の縦断面図である。
【図４】図２の口内撮影補助具３を口腔７１内に挿入した状態の一例を示す図である。
【図５】変形例１に係る口内撮影補助具１３を示す斜視図である。
【図６】図５の口内撮影補助具１３を示す縦断面図である。
【図７】図５の口内撮影補助具１３を口腔７１内に挿入した状態の一例を示す図である。
【図８】変形例２に係る口内撮影補助具２３を示す斜視図である。
【図９】変形例３に係る口内撮影補助具４３の斜視図である。
【図１０】図９の口内撮影補助具４３の横断面図である。
【図１１】包装された口内撮影補助具３を示す概略図である。
【図１２】図１の口内撮影装置５の外観の一例を示す図である。
【図１３】図９の口内撮影装置５のハードウェア構成の一例を示すブロック図である。
【図１４】図９の口内撮影装置５の機能構成の一例を示すブロック図である。
【図１５】図９の口内撮影装置５の動作例１を示すフローチャートである。
【図１６】図９の口内撮影装置５の動作例２を示すフローチャートである。
【図１７】判定アルゴリズムの生成手順を示すフローチャートである。
【図１８】画像抽出手順の一例を示すフローチャートである。
【図１９】図９の口内撮影装置５の動作例３を示すフローチャートである。
【図２０】口内撮影装置５の撮影動作の例を示すフローチャートである。
【図２１】人７の頭部の断面形状の概略図である。
【図２２】口腔７１内の概略図である。
【発明を実施するための形態】
【００１５】
以下、本発明の代表的な実施形態に係る口内撮影装置及び口内撮影補助具を含む医療装置を、図面を参照しつつ詳細に説明する。ただし、本発明はかかる実施形態及び図面に限定されるものではない。また、図面は、本発明を概念的に説明するためのものであるから、理解容易のために、必要に応じて寸法、比又は数を誇張又は簡略化して表している場合もある。
【００１６】
また、以下の開示は、医療装置をインフルエンザの判定のために使用することを想定しているが、本発明はこれに限られない。例えば、溶連菌感染症、アデノウイルス感染症、ＥＢウイルス感染症、マイコプラズマ感染症等のように、咽頭所見に差が出る疾患は多数存在する。また、これら疾患でも、口腔内に重要な所見が現れることがある。更には、これら疾患以外の疾患でも、口腔内に所見が現れることがある。このように咽頭及び口腔内に所見が現れるいずれかの疾患の判定のために医療装置が使用されてもよい。また、口内撮影補助具は、例えばスマートフォン及びタブレット端末のような他の装置との組合せで使用されてもよい。
【００１７】
１  医療装置の概要
図１を参照して、本実施形態の医療装置１の概要を説明する。図示のように、医療装置１は、口内撮影装置５及び口内撮影補助具３を含むものである。口内撮影装置５は、口内撮影補助具３との組合せで使用されることが好適であるが、単独で又は他の補助具との組合せで使用されてもよい。
【００１８】
口内撮影装置５は、被写体の画像を取得する撮像デバイス５７を含み、また、この装置５には予め専用のソフトウェアがインストールされている。ユーザ（例えば医師）は、インフルエンザの疑いのある判定対象者７（例えば患者）に口内撮影補助具３を咥えさせ、撮影のための視野を確保する。その後に、ユーザは、撮像デバイス５７を口内撮影補助具３に挿入し、その対象者７の咽頭７２を撮影する。また、ユーザは、口内撮影補助具３の挿入深さ及び挿入角度を調節することで、対象者７の口腔内７１を撮影することもできる。あるいは、ユーザは、撮像デバイス５７を内部に収納した口内撮影補助部３を判定対象者７の口内に挿入してもよいし、判定対象者７に口内撮影補助部３を口内に挿入させてもよい。
【００１９】
撮影された画像は、事前に生成された判定アルゴリズムによって処理される。かかる処理は、口内撮影装置５で行われることを想定しているが、他のコンピュータで行われてもよい。例えば判定がインフルエンザの可能性に関する場合、インフルエンザ濾胞等のインフルエンザ固有の咽頭症状（パターン）を判定アルゴリズムが検出し、インフルエンザらしさを表示する。これにより、例えば経験の浅い医師や研修医でも、正確かつ早期からのインフルエンザ診断が可能となる。また、経験豊かな医師にとっても、有用な判断資料を得ることができる。更には、インフルエンザの正診率が上がることで、患者は一度の受診で通院を終えることができるとともに、適切な治療をより早期から受けることができる。
【００２０】
２−１  口内撮影補助具
図２−図４を参照して、本実施形態の口内撮影補助具３を詳細に説明する。
口内撮影補助具３は、人７の口内（口腔内７１及び咽頭７２）の撮影のために使用される補助的な道具である。より具体的には、口内撮影補助具３は、口内の撮影の際に口腔７１内に挿入され、口腔内７１又は咽頭７２を含む撮影領域の良好な視野を得るためのものである。更に良好な視野を得るという観点からは、口内撮影補助具３は透光性を有することが好ましい。本実施形態では、口内撮影補助具３の一例としてマウスピースを想定しているが、これに限られるものではない。
【００２１】
図２に示すように、口内撮影補助具３は、本体３１、鍔部３４及び規制部３５を備えている。ただし、口内撮影補助具３は、本体３１を有していれば足り、鍔部３４及び規制部３５の両方又は一方を有していなくてもよい。本実施形態では、口内撮影補助具３として、一体成型された樹脂製品を想定しているが、口内撮影補助具３は、紙や布、金属などの他の素材で作製されてもよいし、複数の素材で作製されていてもよい。また、口内撮影補助具３は、使い捨てタイプであることを想定しているが、再利用可能なタイプでもよい。
【００２２】
本体３１は、全体として筒状を呈している。本体３１は、口腔７１内に深く挿入されると、例えば図１と図２１との比較から分かるように、舌７３を下方へ押しやるとともに、軟口蓋７４を上方へ押しやる。これにより、例えば図４と図２２との比較から分かるように、口内撮影補助具３（本体３１）の内側から咽頭７２の良好な視野を確保できる。
【００２３】
本実施形態において、本体３１は実質的に略直線状に延びている。つまり、本体３１の内径及び外径は長手方向にわたって実質的に一定である。ただし、本体３１は、その内周面における撮像デバイス５７のスライドを妨げない限り、一部又は全体が湾曲していてもよいし、本体３１の内径又は外径が変わってもよい。
【００２４】
本体３１の断面形状としては、ここでは真円状を想定している。ただし、断面形状は、楕円状でもよいし、四角形のような多角形状の断面でもよいし、例えば略Ｄ字状のような非対称な形状でもよい。本体３１が楕円状、多角形状又は非対称の断面形状を持つ場合、本体３１の形状に対応した撮像デバイス５７は、本体３１内でのスライドの際、本体３１の軸方向を中心とした周方向の移動（つまり回転）を規制又は抑制されるので、判定に適した、向きの揃った口内画像を得ることができる。
【００２５】
本体３１が真円状の断面形状の場合、図６を用いて後述するように、撮像デバイス５７の外面及び本体３１の内周面に互いに係合するレール及び突起部を設けることで、撮像デバイス５７の本体３１内での回転を規制してもよい。
【００２６】
図３に示すように、本体３１は、互いに反対側に位置する端部３２，３３を含む。口内撮影補助具３が口腔７１に装着されるとき、端部３２は外部に露出し、端部３３は口腔７１内に位置することになる。したがって、端部３２は第１端部に、端部３３は第２端部に相当する。
【００２７】
本体３１の外周面は滑らかであり、本体３１と端部３３も接続面３６を介して滑らかに連続して一体的になるよう接続されている。つまり、本体３１の外面は、口腔７１を傷つけないように滑らかに加工されている。
【００２８】
本体３１は、目盛り３７を有する。目盛り３７は、本体３１の長手方向に沿って配置され、本体３１が口腔７１内にどれぐらい深く挿入されているかの目安として機能する。目盛り３７は、本体３１の外周面及び内周面のいずれかに設けられればよい。目盛り３７が外周面に設けられる場合には、図２に示すように、上唇及び上前歯７５が接触する側、つまり上側に設けられるとよい。目盛り３７は、所定の間隔（例えば１ｃｍ刻み）で配置されるとよい。また、図２に示す目盛り３７は本体３１の周方向において半周近くの長さを有するが、これに限られるものではなく、短くてもよいし長くてもよい。
【００２９】
本実施形態では、目盛り３７の一例として、本体３１の長手方向に沿って整列する複数の隆起部を想定している。この隆起部の表面は、判定対象者７の口腔を傷付けないように滑らかに加工されているとよい。もっとも、目盛り３７は、例えば、本体３１の外周面の長手方向に延びる略直線状の凸部であってもよく、また、本体３１の外周面又は内周面上に印刷又は表示されてもよい。
【００３０】
図３に示すように、端部３２は開口３２Ａを有し、開口３２Ａには撮像デバイス５７を挿入することが可能である。したがって、撮像デバイス５７は、開口３２Ａから本体３１内に挿入され、開口３２Ａから本体３１の外へ取出されることになる。
【００３１】
端部３２には鍔部３４が設けられている。鍔部３４は、端部３２から本体３１の径方向の外側に向かって延びている。鍔部３４は、本体３１が口腔７１の奥深くに入り込むと判定対象者７の唇又は前歯に接触し、その判定対象者７が口内撮影補助具３を誤飲することを防止する。つまり、鍔部３４は、ストッパとしての機能を果たす。本実施形態では、鍔部３４は、端部３２の全周に亘って設けられているが、例えば、端部３２において上唇と下唇に対応する箇所に部分的に形成されてもよい。また、鍔部３４の外縁は、図２のように真円状でもよいし、楕円状でもよいし、更には四角形のような多角形状でもよい。
【００３２】
鍔部３４には、例えば判定対象者７が咳き込んだときに、判定対象者７の口からの飛沫が当たる。つまり、鍔部３４は、医師が判定対象者７からの飛沫を回避することにも役立つ。この飛沫回避機能を持たせるためには、例えば、使用年齢や体格等に応じて、鍔部３４の形状及び寸法を適宜選択すればよい。
【００３３】
端部３３もまた開口し、窓部３３Ａを形成している。この窓部３３Ａは、本体３１の内側から本体３１の外側に視野を与えるためのものであり、ここでは、本体３１内の撮像デバイス５７のレンズを外部に露出させている。ただし、窓部３３Ａは、例えば透明な部材で覆われていてもよい。
【００３４】
端部３３は本体３１の内側に向かって突出し、規制部３５を形成している。規制部３５は、本体３１内の撮像デバイス５７が接触して、端部３３を通過することを規制するために設けられる。もっとも、規制部３５は、端部３３に設けられていなくてもよい。例えば、追って図６との関係で述べる案内部１４１（凹部又は溝）は、その終端部において撮像デバイス５７の係合突起５７Ａと接触し、撮像デバイス５７の奥側への移動を規制するから、規制部３５としての役割をも果たす。
【００３５】
上述した口内撮影補助具３を使用して咽頭７２を撮影する場合、ユーザは、図１に示すように、判定対象者７の口腔７１内に口内撮影補助具３を挿入する。このとき、本体３１は、舌７３を下方へ、軟口蓋７４を上方へ押しやる。その後に又は同時に、ユーザは、撮像デバイス５７を本体３１内に挿入する。このとき、図４に示すように、撮像デバイス５７の視野には舌７３も軟口蓋７４も入らないか、入るとしても僅かな範囲を占めるに留まる。したがって、咽頭７２の良好な視野を得ることができる。
【００３６】
また、鍔部３４により、判定対象者７による口内撮影補助具３の誤飲を防止することができる。併せて、鍔部３４は、判定対象者７の口からユーザへの飛沫の飛散を抑制し、ユーザへのインフルエンザ等の感染症の二次感染のリスクを低減することができる。
【００３７】
更に、目盛り３７は、口内撮影補助具３を、判定対象者７の体格や撮影部位に応じて適切な口腔深さに配置することを可能にする。このことは、意図する部位の鮮明な画像の撮影に寄与するとともに、本体３１を必要以上に深く挿入することによる判定対象者７の不快感及び噎せ込みを抑制することができる。
【００３８】
２−２  口内撮影補助具の変形例１
図５−図７を参照して、本実施形態の変形例１に係る口内撮影補助具１３を説明する。
口内撮影補助具１３は、上述した口内撮影補助具３と同種の構成要素を備え、更に略直線状の案内部１４１を含む。他方、撮像デバイス５７は、案内部１４１に係合する係合突起５７Ａを含む。したがって、案内部１４１は、撮像デバイス５７が本体１３１に対して回転することなく、本体１３１内をスライド可能とする。
【００３９】
変形例１では、図６に示すように、案内部１４１の一例は、撮像デバイス５７の外周面上の係合突起５７Ａと対応するように端部１３２から端部１３３に向かって略直線状に延びる溝である。あるいは、案内部１４１は、本体の内周面から突出する一対のレールでもよい。
【００４０】
選択的に、本体１３１の断面形状が楕円形状、多角形状、又は例えば略Ｄ字状のような非対称形状であり、かつ、撮像デバイス５７が本体１３１の断面形状に対応した外形である場合には、撮像デバイス５７が本体１３１に対して回転することなく本体１３１内をスライド可能であるから、この場合の本体１３１の内周面は案内部としても機能することになる。
【００４１】
図５に示すように、本体１３１及び鍔部１３４の外面上には、判定対象者７の口唇に対する本体１３１の位置決めを容易にするための指示表示１４２が設けられている。図７に示すように、指示表示１４２は例えば、判定対象者７の上唇の中央部又は上前歯７５に対応する位置、つまり上部の中央に配置されるとよい。ユーザが、例えば指示表示１４２を判定対象者７の上唇の中央に揃えた状態で口内撮影補助具３を口腔７１に装着することで、撮像デバイス５７によって撮影される画像の向きがほぼ同じ向きに揃うことになる。これにより、画像を用いた機械学習及び特定の疾患（例えばインフルエンザ）の判定処理が容易になる。
【００４２】
２−３  口内撮影補助具の変形例２
図８を参照して、本実施形態の変形例２に係る口内撮影補助具２３を説明する。
口内撮影補助具２３は、上述した口内撮影補助具３と同種の構成要素を備え、更に、本体２３１に少なくとも１個の孔２４３を有する。孔２４３は、本体２３１の内側と外側との間を貫通している。かかる孔２４３により、口内撮影補助具２３を咥えた判定対象者７が呼吸をすることが容易になり、その判定対象者７に安心感をもたらし得る。なお、孔２４３の大きさ、数及び配置は、判定対象者７の唾液が入りにくいように適宜設定されてよい。
上述した変形例２の構成要素、例えば案内部は、上記実施形態や変形例１に適用することも可能である。
【００４３】
２−４  口内撮影補助具の変形例３
図９及び図１０を参照して、本実施形態の変形例３に係る口内撮影補助具４３を説明する。口内撮影補助具４３は、上述した口内撮影補助具３と同種の構成要素を備えている。
【００４４】
口内撮影補助具４３の本体４３１は、透明又は半透明の樹脂成型品である。したがって、口内撮影装置５の撮影領域は、窓部４３３Ａから見える範囲よりも更に広がり、より広い視野を得ることができる。また、本体４３１の内径は、端部４３２から端部４３３に向かって僅かに小さくなっており、これにより、口内撮影補助具４３の樹脂成型が容易になる。
【００４５】
図１０に示すように、目盛り４３７は本体４３１の内周面に形成され、これにより本体４３１の外周面を滑らかにすることができる。目盛り４３７は、本体４３１の内周面から突出する突起でもよいし、内周面に表示又は塗布されたマークでもよい。
【００４６】
図９に示すように、鍔部４３４の外縁は上下方向に長い楕円状をなし、これにより口内撮影補助具４３を判定対象者７の口唇に対して容易に位置決めすることができる。また、鍔部４３４の外縁は、端部４３３に向かって突出し又は他の部分よりも肉厚に形成されている。これにより、鍔部４３４の材料の量及びコストを減らしながら必要な強度を確保している。
【００４７】
２−５  口内撮影補助具の他の変形例
本体３１は、端部３２から端部３３に亘って実質的に同じ内径を有している必要はない。例えば、本体３１は、端部３２に向かうにつれて内径が拡大するように構成されてもよい。かかるラッパ状の本体３１により、複数の口内撮影補助具３を重ねることが可能となり、輸送や保管のための空間を削減することができる。
【００４８】
また、撮像デバイス５７として、スマートフォン又はタブレット端末に搭載されたカメラが採用されてもよい。このようなカメラと口内撮影補助具３（開口３２Ａ）との位置関係を固定するために、本体３１又は鍔部３４に枠やクリップを設けてもよい。例えば、口内撮影補助具３は、スマートフォンを上縁又は横縁から挟み込むためのクリップや、スマートフォンの角部に押し当てるためのＬ字状の枠を備えていてもよい。
【００４９】
２−６  口内撮影補助具の包装例
口内撮影補助具３は、滅菌され、図１１のように、識別子９１が表示された袋９で個別に包装されてもよく、これにより口内撮影補助具３の衛生的な管理が可能となる。なお、識別子９１は、口内撮影補助具３上に表示されてもよい。
【００５０】
識別子９１は、例えば口内撮影補助具３の製品ＩＤを含む識別情報を含んでいる。識別子９１としては例えばバーコード及びＲＦタグが挙げられるが、口内撮影装置５による読取り及び医療装置１の医療機関での使用を考慮すれば、バーコードが好ましい。バーコードとしては、一次元バーコード、二次元バーコードのいずれをも利用可能である。
【００５１】
例えば、口内の撮影前に、撮影デバイス５７で識別子９１を撮影し、袋９内の口内撮影補助具３の識別情報を口内撮影装置５に読み込むことで、該当する口内撮影補助具３のロット情報を確認することができる。これにより、口腔に触れることによる患者への有害事象が生じた場合でもトレーサビリティを担保することができ、また、口内撮影補助具３の再利用を検出することも可能となるため、それによる汚染及び二次感染を防止し、衛生面で安全性を確保することができる。
【００５２】
３−１  口内撮影装置
図１２−図２０を参照して、口内撮影装置５を詳細に説明する。
口内撮影装置５は、撮像デバイス、演算装置及び記憶装置を含むコンピュータである。ここでは、口内撮影装置５が１台のコンピュータで構成されていることを想定しているが、複数台のコンピュータで構成されていてもよい。例えば、遠隔画像診断では、撮影機能と判定機能とが別個のコンピュータにより実行されてもよい。口内撮影装置５は、図１３に示すように、撮像デバイス５７、演算装置の一例としての中央処理装置（ＣＰＵ）５１、記憶装置の一例としてのランダムアクセスメモリ（ＲＡＭ）５２及び読み出し専用メモリ（ＲＯＭ）５３、通信インターフェイス５４、入力デバイス５５、出力デバイス５６及び光源５８を備える。
【００５３】
通信インターフェイス５４は、有線又は無線の通信モジュールであり、例えばアプリケーションプログラム及び判定アルゴリズムの取得及び更新、並びに、撮影された画像の回収（送信）のために利用される。無線の通信インターフェイスとしては、例えば、Ｗｉ−Ｆｉのような無線ＬＡＮ規格、ＢＬＵＥＴＯＯＴＨ（商標）のような近距離無線通信規格、第３世代・第４世代移動通信規格のいずれかを満たす機器が想定されているが、これに限られない。
【００５４】
入力デバイス５５は、ユーザ入力を受け付ける入力装置の一例であり、例えば図１２に示すような各種の操作ボタン及び操作キーである。あるいは、入力デバイス５５は、タッチパネルやマイクロフォン、操作ダイヤル、スタイラスなどの他の入力手段でもよい。入力デバイス５５は口内撮影装置５の本体（筐体）に配置されてもよいし、例えば撮像デバイス５７に配置されてもよい。
出力デバイス５６は、判定結果を出力する出力装置の一例であり、例えばディスプレイ、スピーカ、プリンタである。
【００５５】
撮像デバイス５７は画像を取得する。この実施形態では、撮像デバイス５７において取得する画像として動画像を想定している。取得される画像サイズは例えば６４０Ｘ４８０ピクセルで、フレームレートは例えば３０ｆｐｓで足りる。ただし、画像サイズ及びフレームレートはこれに限られるものではない。
選択的に又は追加的に、撮像デバイス５７は静止画像を撮影可能とされていてもよい。静止画像を撮影する場合、撮像デバイス５７は連写機能を有することが望ましいが、これに限られない。
【００５６】
本実施形態では、図１２に示すように、撮像デバイス５７は、口内撮影装置５の本体（筐体）とは分離し、単独で口内撮影補助具３内に挿入されることが想定されている。撮像デバイス５７はまた、口内撮影補助具３の本体３１の内周面に対応した外形（例えば円柱形状）を有することが好ましい。
ただし、撮像デバイス５７は、例えばスマートフォン又はタブレット端末のように、口内撮影装置５の本体に組み込まれてもよい。
【００５７】
撮像デバイス５７は、図示しないオートフォーカス機構を有しており、例えば、レンズの正面に焦点が特定部位に合うように設定されていてもよい。撮像デバイス５７はまた、自動で特定部位（例えば咽頭後壁）を認識してそこにフォーカスする機能を有していてもよい。撮像デバイス５７は更に、ズーム機能を有しており、例えば、咽頭後壁又は濾胞の寸法に応じて適切な倍率で撮影するように設定されてもよい。
【００５８】
撮像デバイス５７の作動中には、光源５８から被写体に向かって光が照射されてもよく、これにより良質な画像の確保を図っている。ここで、光源５８が照射する光は、可視光でもよいし、例えば近赤外線や赤外線のような非可視光でもよいものとする。また、例えば１つの光源が可視光を照射し、他の光源が近赤外線又は赤外線を照射するように、複数の光源５８がそれぞれ特定の範囲の波長の光の照射を担当してもよい。
【００５９】
これに対して、撮像デバイス５７は、光源５８が発する光を適切に受光し得る種類及び数の受光素子を有しているとよい。例えば、光源５８が可視光を発する場合には、撮像デバイス５７は、可視光を受光するのに適した受光素子を有し、光源５８が非可視光を発する場合には、撮像デバイス５７は、非可視光を受光するのに適した受光素子を有していればよい。光源５８は、例えば発光ダイオード（ＬＥＤ）又は有機エレクトロルミネッセンス（ＯＥＬ）でよい。
【００６０】
選択的に、撮像デバイス５７の作動中に、出力デバイス５６としてのディスプレイに、撮影中の画像と半透明のイラストとが重ねて表示されるようプログラムされていてもよい。ユーザが、イラストとそれに対応する部位（例えば口蓋垂や口蓋扁桃）の画像とが重なるように撮像デバイス５７を動かすと、判定のために適切な画像を得ることが可能となる。
【００６１】
ＲＯＭ５３は、口内撮影装置５における各種処理を実行するためのアプリケーションプログラム、及び、特定の疾患の判定ためのアルゴリズムを記憶している。ＲＯＭ５３はまた、撮像デバイス５７において取得した画像及び口内撮影補助具３の識別情報、入力デバイス５５から入力された各種情報（例えば判定対象者７の情報）、判定結果を記憶してもよい。ＲＯＭ５３は、内蔵タイプでも、例えばＵＳＢメモリ又はＭｉｃｒｏＳＤカードのような着脱可能なタイプでもよいし、更には、外部サーバなどの外部コンピュータの記憶装置の記憶領域をも含んでいてもよい。
【００６２】
ＣＰＵ５１は、ＲＯＭ５３に記憶されたアプリケーションプログラムをＲＡＭ５２に読み出し、次の処理（ａ）〜（ｄ）を含む各種処理を実行することができる。なお、撮像デバイス５７が取得した画像が１枚の静止画像である場合には、抽出処理は省略されてもよい。
【００６３】
３−２  ＣＰＵが実行する主な処理
（ａ）抽出処理
ＣＰＵ５１は、撮像デバイス５７から取得した画像から、所定の条件を満たす少なくとも１枚の静止画像を抽出する。例えば撮像デバイス５７が動画像を撮影する場合には、ＣＰＵ５１は、動画像に含まれる複数枚の静止画像の中から少なくとも１枚の静止画像を抽出する。動画像の撮影時には所定のフレームレートで静止画像が記録される。その中には撮影条件が良いものとそうでないものとが含まれるはずである。次の判定処理で用いるための画像として、撮影条件が良いもの数枚を選び出すのである。
【００６４】
例えば、予め多くの同様の画像データを元に、特定の撮影角度、特定のライトの照射具合、特定の視野の広さ、特定部位（例えば咽頭など）の描出位置、特定部位へのフォーカスの程度の全部又は一部を満たすと特定疾患（例えばインフルエンザ）の診断判定の精度が高い、という条件を見出しておき、これを撮影条件の良し悪しの判断基準とする。このような基準が採用される場合には、抽出処理は、例えば図１８のように、撮影対象の描出位置に基づいて画像を順位付けし（ステップＳ３１）、特定部位へのフォーカスの程度に基づいて画像を順位付けし（ステップＳ３２）、光の照射状態に基づいて画像を順位付けし（ステップＳ３３）、最後に、総合順位において上位である数枚の画像を選び出す（ステップＳ３４）という手順を経ることになる。追加的に、総合順位の算出前に、視野の広さ又は撮影角度の基準にしたがって画像を順位付けしてもよい。あるいは、抽出処理には、ディープラーニング（深層学習）機能を用いても良い。
【００６５】
（ｂ）判定処理
ＣＰＵ５１は、撮像デバイス５７から取得した画像（例えば抽出処理で得た少なくとも１枚の静止画像）及びＲＯＭ５３に記憶された判定アルゴリズムに基づき、特定の疾患の可能性を判定する。特定の疾患は、本実施形態ではインフルエンザである。判定のために、ユーザが入力デバイス５５を介して入力した判定対象者７の情報（以下、患者情報という）が併用されてもよい。患者情報は、例えば、年齢、性別、発症からの経過時間、インフルエンザの諸症状（咳、鼻水、寒気ほか）の有無、及び、他のインフルエンザ患者との接触歴を含む。患者情報は、人種や遺伝子情報、日付や季節、位置情報（受診地の緯度経度）及び気象情報（例えば天気、気温など）の全部又は一部を含んでいてもよい。
【００６６】
ここで、判定アルゴリズムは、例えば図１７に示す手順で生成されてもよい。
例えばインフルエンザの場合では、まず、医療機関において患者の咽頭画像と、それに付属する、インフルエンザか否かを示す正解ラベルとを収集する（ステップＳ２１）。正解ラベルは、例えば、患者に受けてもらった、スワブによるインフルエンザ迅速検査、ＰＣＲ検査、ウイルス分離培養検査の結果に基づいて付与される。ＰＣＲ検査及びウイルス分離培養検査は、結果の判明までに数週間を要するものの、極めて高い正確性を示すため、その結果は正解ラベルとして好適である。また、正解ラベルは、画像データだけでなく、上記の患者情報を含んでいてもよい。
【００６７】
次いで、上記のＰＣＲ検査またはウイルス分離培養検査の判定結果を正解としてラベル付けした教師データ（画像データ）を生成する（ステップＳ２２）。この教師データに基づいて機械学習を行い、判定アルゴリズムを生成する（ステップＳ２３）。この判定アルゴリズムは、画像を与えるとその画像がインフルエンザらしいか否かを判定するためのアルゴリズムである。これによって、インフルエンザである可能性を数値化して、例えば「９８．５％」と示すことができるようになる。
【００６８】
選択的に、例えば「判定：インフルエンザ陽性」及び「判定：インフルエンザ陰性」のように、陽性又は陰性を判定してもよい。この場合、陽性又は陰性の判定に加えて、判定の信頼性を数値化したり、高中低などの段階評価で示したりしてもよい。あるいは、インフルエンザである確証度合いを、高中低などの段階評価で示してもよい。
【００６９】
（ｃ）出力処理
ＣＰＵ５１は、判定処理の結果を出力する。出力方法の一例は、ディスプレイへの表示、他のコンピュータへの送信である。
【００７０】
（ｄ）口内撮影補助具の識別情報の取得
選択的に、ＣＰＵ５１は、新たな判定に先立ち、その判定に使用するための口内撮影補助具３の識別情報の入力をユーザに要求してもよい。例えばユーザが撮像デバイス５７で識別子９１を撮影すると、ＣＰＵ５１は、識別子９１の画像から、対応する口内撮影補助具３の識別情報を取得する。
【００７１】
次いで、ＣＰＵ５１は、ＲＯＭ５３内の記録を検索し、該当する口内撮影補助具３と一致する記録の有無を調べる。あるいは、ＣＰＵ５１は、外部サーバ上の口内撮影補助具３の使用記録を調べさせてもよい。
【００７２】
一致する記録がない場合、ＣＰＵ５１は、新たな判定を許容する。一致する記録がある場合、ＣＰＵ５１は、該当する口内撮影補助具３は使用済みであると判定する。そして、ＣＰＵ５１は、例えば、ディスプレイにアラームを表示させたり、一連の処理を終了させたりしてもよい。つまり、ＣＰＵ５１は、検索結果に応じて新たな判定を制限することができる。
【００７３】
３−３  口内撮影装置の機能構成
図１４は、口内撮影装置５の機能構成を示す。口内撮影装置５は、撮像部６１、抽出部６２、判定部６３、カメラ制御６４、記憶部６５、入力部６６、出力部６７及び通信部６８を含んでいる。口内撮影装置５のハードウェア構成との対応関係を示せば、撮像部６１は撮像デバイス５７に、抽出部６２、判定部６３及びカメラ制御６４はＣＰＵ５１に、記憶部６５はＲＯＭ５３に、入力部６６は入力デバイス５５に、出力部６７は出力デバイス５６に、通信部６８は通信インターフェイス５４に、それぞれ対応する。ここで、カメラ制御６４は、撮像デバイス５７を制御して、オートフォーカス機能及びズーム機能等の諸機能を実現するものである。
【００７４】
その他の機能として、口内撮影装置５は、撮影が行われた時刻を取得する計時機能、撮影が行われた位置情報を取得する位置情報取得機能、当該位置における気象情報を取得する気象情報取得機能を有していてもよい。計時機能は内蔵の時計として実現されてもよいし、外部の時刻サーバにアクセスする通信インターフェイスの一機能であってもよい。位置情報取得機能は例えば全地球測位システム（ＧＰＳ）として実現されてもよい。気象情報取得機能は、外部の気象サーバにアクセスする通信インターフェイスの一機能であってもよい。
【００７５】
３−４  口内撮影装置の動作例１
図１５を参照して、口内撮影装置５の動作例１を説明する。ここでは口内撮影装置５が動画像を撮影する場合の動作を例として挙げる。ただし、口内撮影装置５は静止画像を撮影してもよく、この場合にも口内撮影装置５は同様に動作する。
【００７６】
電源が投入されると、口内撮影装置５は、撮像デバイス５７による撮影を開始してディスプレイに表示するとともに、ステップＳ１において、録画ボタン（入力デバイス５５の１つ）が押下されたかどうかを判定する。録画ボタンの押下を確認しないときには、口内撮影装置５は、ステップＳ１を繰り返す。
【００７７】
録画ボタンの押下を確認すると、口内撮影装置５は、ステップＳ２において、録画を開始する。併せて、口内撮影装置５は、光源５８を点灯させる。ユーザは、判定対象者７の口腔７１に口内撮影補助具３を装着し、その後に口内撮影補助具３に撮像デバイス５７を挿入する（図１参照）。撮像デバイス５７は、口内撮影補助具３内のスライド中にも判定対象者７の口内（口腔内７１又は咽頭７２）を撮影する。
【００７８】
ステップＳ３において、口内撮影装置５は、取得した動画像に含まれる複数の静止画像の中から、判定のために適切な静止画像を抽出する。このとき、抽出された静止画像が抽出結果としてディスプレイに表示されてもよい。
【００７９】
口内撮影装置５は、ステップＳ４において、抽出された静止画像及び判定アルゴリズムに基づいて、特定の疾患らしさを判定し、ステップＳ５において判定結果を例えばディスプレイに出力する。これにより一連の動作が終了する。
【００８０】
このように、機械学習により生成された判定アルゴリズムを用いて特定の疾患の可能性を評価しているので、高精度の判定結果を期待することができる。
撮影条件の良い画像が判定のために選ばれるため、判定の精度が向上する。
口内撮影装置５が口内撮影補助具３と組み合わせて使用されることで、視野が広く、鮮明な画像を得ることができる。このことは、判定精度の向上に寄与する。
【００８１】
３−５  口内撮影装置の動作例２
図１６を参照して、口内撮影装置５の動作例２を説明する。この動作例２は、先に述べた動作例１と同種のステップを含み、更にユーザによる抽出画像の確認ステップ（Ｓ１４）、患者情報の入力ステップ（Ｓ１６）、及び総合判定（Ｓ１７）を含んでいる。
【００８２】
具体的には、口内撮影装置５は、電源が投入されると、録画ボタンの押下を確認し（ステップＳ１１）、録画を開始し（ステップＳ１２）、判定のための画像を抽出する（ステップＳ１３）。そして、口内撮影装置５は、抽出した画像を例えばディスプレイに表示し、ユーザに対して、当該画像を判定のために使用するか否かの確認を求める（ステップＳ１４）。もしユーザが「ＮＯ」を選択すると、再度ステップＳ１２，Ｓ１３を実行し、新たな判定用の画像をユーザに提示する。
【００８３】
ステップＳ１４においてユーザが「ＹＥＳ」を選択すると、口内撮影装置５は、抽出された画像に基づいて特定の疾患らしさを判定する（ステップＳ１５）。
【００８４】
次いで、口内撮影装置５は、ユーザに対して患者情報の入力を求める（ステップＳ１６）。ここで、患者情報は、例えば受診時の体温やワクチン接種の有無といった、定型化されたシンプルな情報である。かかる患者情報は、図９に例示するように、ソフトウェアが一律に処理できる形で入力される。例えば、プルダウンメニューや、半角数字以外を拒否するような入力フォーム設定が利用されてもよい。あるいは、口内撮影装置５は、有線又は無線回線を介して、外部コンピュータ（例えば電子カルテシステム）から患者情報を取得してもよい。なお、ステップＳ１６は、ステップＳ１１に先立って実行されてもよい。
【００８５】
そして、上記の患者情報と、画像に基づく特定の疾患らしさの評価の両方を統合して、全体としてその疾患らしさを計算する（ステップＳ１７）。計算結果は、例えばディスプレイに表示され（ステップＳ１８）、一連の手順が終了する。
【００８６】
このように、口内撮影装置５が、ユーザによる確認済みの画像に基づいて特定の疾病の可能性を評価することで、判定の精度及び信頼性が向上する。
更に患者情報に基づいて判定を行えば、判定の精度及び信頼性が更に向上することが期待される。
【００８７】
３−６  口内撮影装置の動作例３
図１９を参照して、口内撮影装置５の動作例３を説明する。この動作例３は、口内撮影補助具３の識別情報を取得する手順（ステップＳ４１）を含んでいる。
【００８８】
具体的には、口内撮影装置５は、電源が投入されると、ステップＳ４１において、例えばディスプレイへの表示を介して、ユーザに対して口内撮影補助具３の識別情報の入力を求める。例えばユーザが撮像デバイス５７で袋９上の識別子９１を撮影したり、入力デバイス５５を介して識別情報を入力したりすると、口内撮影装置５は、口内撮影補助具３の識別情報を取得する。
【００８９】
口内撮影装置５は、識別情報を用いて、当該の口内撮影補助具３のロット情報を調べてもよい。例えば、口内撮影装置５は、ＲＯＭ５３内の記録に当該口内撮影補助具３の製品ＩＤが含まれるかどうかを検索してもよいし、外部コンピュータに当該製品ＩＤの有無を調べさせてもよい。
【００９０】
該当する製品ＩＤが内部又は外部の記録にある場合には、口内撮影装置５は、アラームを出力したり、一連の処理を終了させたりしてもよい。アラームとしては、例えば当該の口内撮影補助具３が使用済みである旨のディスプレイへの表示が挙げられる。これにより口内撮影補助具３の再利用を制限し、二次感染の予防を含む口内撮影補助具３の安全性を高めている。また、口内撮影補助具３とそれを利用した判定対象者７とを１対１に対応させることが可能になるため、将来における追跡調査が容易になる。
【００９１】
その後、口内撮影装置５は、ステップＳ４２において口内の撮影を行う。ここで、口内の撮影処理は、上述した動作例１，２と同じでもよいし、追って述べる手順で行われてもよい。そして、口内撮影装置５は、ステップＳ４３において特定の疾患らしさを判定し、ステップＳ４４において判定結果を出力し、一連の処理を終了する。
【００９２】
３−７  口内撮影の他の例
図２０を参照して、口内撮影の他の手順を説明する。ここで述べる手順は、上述した動作例１〜３における画像取得手順に代替可能できる。また、この手順は、機械学習用の訓練データの収集のために利用できる。
【００９３】
まずステップＳ５１において、口内撮影装置５は患者登録を行う。患者登録は、例えばユーザが口内撮影装置５に入力し又は撮影した患者ＩＤを記録することで行われる。
【００９４】
次いで、ステップＳ５２において、口内撮影装置５は画像を取得する。ここでいう画像は静止画像であり、例えば、撮像デバイス５７において撮影された画像の中から、所定の時間間隔（例えば１秒ごと）に抜き出された一組の静止画像で構成されてもよい。
【００９５】
そして、ステップＳ５３において、口内撮影装置５は、取得した画像を例えばディスプレイに表示し、ユーザに確認を求める。ステップＳ５４においてユーザから承認が得られると、口内撮影装置５は、ステップＳ５５において承認された画像を保存し、一連の撮影処理を終了する。ユーザの承認が得られない場合には、ステップＳ５２に戻って再び画像を取得する。
【００９６】
以上、本発明の代表的な実施形態について説明したが、本発明はこれらに限定されるものではなく、種々の設計変更が可能であり、それらも本発明に含まれる。上記のように、例えば、溶連菌感染症、アデノウイルス感染症、ＥＢウイルス感染症、マイコプラズマ感染症等、咽頭又は口腔内の所見に差が出る疾患の判定のために適用することもできる。
【符号の説明】
【００９７】
１・・・医療装置、
３，１３，２３，４３・・・口内撮影補助具、
５・・・口内撮影装置、
３１，１３１，２３１，４３１・・・本体、
３４，１３４，２３４，４３４・・・鍔部、
３５，１３５，２３５，４３５・・・規制部、
３７，１３７，２３７，４３７・・・目盛り、
５５・・・入力デバイス、
５６・・・出力デバイス、
５７・・・撮像デバイス、
５８・・・光源。
【図１】
2019131327.tif 000003
【図２】
2019131327.tif 000004
【図３】
2019131327.tif 000005
【図４】
2019131327.tif 000006
【図５】
2019131327.tif 000007
【図６】
2019131327.tif 000008
【図７】
2019131327.tif 000009
【図８】
2019131327.tif 000010
【図９】
2019131327.tif 000011
【図１０】
2019131327.tif 000012
【図１１】
2019131327.tif 000013
【図１２】
2019131327.tif 000014
【図１３】
2019131327.tif 000015
【図１４】
2019131327.tif 000016
【図１５】
2019131327.tif 000017
【図１６】
2019131327.tif 000018
【図１７】
2019131327.tif 000019
【図１８】
2019131327.tif 000020
【図１９】
2019131327.tif 000021
【図２０】
2019131327.tif 000022
【図２１】
2019131327.tif 000023
【図２２】
2019131327.tif 000024
【国際調査報告】
2019131327.tif 000025
2019131327.tif 000026
2019131327.tif 000027
2019131327.tif 000028